(57)【要約】【課題】  操作者が操作しようとするモードへの切り替えを簡便かつ迅速に行うことによって操作性を向上することができる「複合情報処理装置」を提供すること。【解決手段】  操作者が入力手段２の操作を完了する際に最後に操作したモードであるラストモードを記憶する記憶手段４と、前記入力手段２を操作する操作者を判定する判定手段６と、この判定手段６によって判定された操作者に対応するラストモードを前記記憶手段４から読み出して起動する制御を行う制御手段５とを備えたこと。【選択図】      図１
2005283445.tif 000002
【特許請求の範囲】
【請求項１】
操作者によって操作される入力手段と、この入力手段の操作を介して前記操作者によって選択的に操作される複数のモードと、これら複数のモードの情報を選択的に出力する出力手段とを備えた複合情報処理装置であって、
操作者が前記入力手段の操作を完了する際に最後に操作したモードであるラストモードを記憶する記憶手段と、
前記入力手段を操作する操作者を判定する判定手段と、
この判定手段によって判定された操作者に対応するラストモードを前記記憶手段から読み出して起動する制御を行う制御手段と
を備えたことを特徴とする複合情報処理装置。
【請求項２】
前記入力手段は、操作者に操作感触を与えるハプティックコマンダとされていることを特徴とする請求項１に記載の複合情報処理装置。
【請求項３】
前記入力手段を操作する操作者の手指の位置を検出する位置検出センサを備えたことを特徴とする請求項１または請求項２に記載の複合情報処理装置。
【請求項４】
前記位置検出センサは、前記入力手段を操作する操作者の親指の位置を検出するようにされていることを特徴とする請求項１乃至請求項３のいずれか１項に記載の複合情報処理装置。
【請求項５】
ナビゲーションのモードと、ＣＤ、ＤＶＤおよびテレビのうちの少なくとも一つのモードとを備えたことを特徴とする請求項１乃至請求項４のいずれか１項に記載の複合情報処理装置。
【請求項６】
前記入力手段の操作をキャンセルするキャンセル手段を有し、
前記制御手段は、１人の操作者が前記入力手段の操作を完了して当該１人の操作者におけるラストモードを前記記憶手段によって記憶させた後、他の操作者が入力手段を操作する際に、当該他の操作者に対応するラストモードの起動後、所定時間内に前記キャンセル手段が操作された場合に、前記１人の操作者に対応するラストモードを起動する制御を行うことを特徴とする請求項１乃至請求項５のいずれか１項に記載の複合情報処理装置。
【請求項７】
前記制御手段は、１人の操作者が前記入力手段の操作を完了して当該１人の操作者におけるラストモードを前記記憶手段によって記憶させた後、所定時間以内に他の操作者が前記入力手段の操作を開始した場合には、前記１人の操作者におけるラストモードを起動し、前記所定時間を超えた後に前記他の操作者が前記入力手段の操作を開始した場合には、前記他の操作者に対応するラストモードを起動する制御を行うことを特徴とする請求項１乃至請求項６のいずれか１項に記載の複合情報処理装置。
【請求項８】
前記制御手段は、運転者以外の操作者による前記入力手段の操作完了後、所定時間経過後に自動的に運転者に対応するラストモードを起動する制御を行うことを特徴とする請求項１乃至請求項７のいずれか１項に記載の複合情報処理装置。
【発明の詳細な説明】
【技術分野】
【０００１】
本発明は、複合情報処理装置に係り、特に、入力手段の操作によって、複数のモードを選択的に操作するのに好適な複合情報処理装置に関する。
【背景技術】
【０００２】
現在、車載用のナビゲーション装置においては、ナビゲーション、ＣＤ、ＤＶＤおよびテレビ等の複合的なソースを単一の装置で実行することができるようになっている。
【０００３】
このようなナビゲーション装置を操作するには、リモートコントローラやタッチパネル等の入力手段を用いてソースの切り換えを行うことによって、ナビゲーション、ＣＤまたはテレビ等の操作するモード、すなわち、機器の動作状態を適宜選択し、選択したモードの情報を、表示部やスピーカ等の出力手段によって出力させるようになっている。
【０００４】
また、最近においては、複数のモードの制御に対応する新たな入力手段として、操作者に操作感触を与えるハプティックコマンダが採用されている。
【０００５】
このようなハプティックコマンダによれば、例えば、各モードごとに異なる操作感触を人工的に作り出すことができ、これによって、各モードを操作するための入力手段をひとまとめにすることができる上に、各モードに固有の操作感触により、目視に頼る必要がなくなり、格段に操作性を向上させることができる。
【０００６】
【特許文献１】特開２００３−０１５５３５号公報
【発明の開示】
【発明が解決しようとする課題】
【０００７】
しかしながら、従来は、例えば、助手席の同乗者がＤＶＤの映像情報や音声情報を視聴している場合において、その後に、運転者がナビゲーションの操作をしたい場合に、ＤＶＤの画面からナビゲーションの画面に切り換えるためには、ソース切り換えの操作を行わなければならなかった。
【０００８】
この結果、操作が煩雑になり、迅速なモード切替を行うことができないといった問題が生じていた。このような問題は、ひいては運転者による安全で円滑な運転を妨げる結果となるため、早急な解決を要していた。
【０００９】
そこで、本発明は、このような問題点に鑑みなされたものであり、操作者が操作しようとするモードへの切り替えを簡便かつ迅速に行うことによって操作性を向上することができる複合情報処理装置を提供することを目的とするものである。
【課題を解決するための手段】
【００１０】
前述した目的を達成するため、本発明に係る複合情報処理装置の特徴は、操作者によって操作される入力手段と、この入力手段の操作を介して前記操作者によって選択的に操作される複数のモードと、これら複数のモードの情報を選択的に出力する出力手段とを備えた複合情報処理装置であって、操作者が前記入力手段の操作を完了する際に最後に操作したモードであるラストモードを記憶する記憶手段と、前記入力手段を操作する操作者を判定する判定手段と、この判定手段によって判定された操作者に対応するラストモードを前記記憶手段から読み出して起動する制御を行う制御手段とを備えた点にある。
【００１１】
そして、このような構成によれば、判定手段によって判定された操作者に対応するラストモードを制御手段によって即時に起動することができる。
【００１２】
これにより、１人の操作者があるモードの操作を完了した後、同一のモードの操作を再開するまでの間に、他の操作者が別のモードの操作を行った場合においても、当該１人の操作者は、ソースの切り換え操作を要さずに、前記同一のモードの操作を容易かつ速やかに再開して継続することが可能となる。
【００１３】
なお、本願において、「ラストモード」とは、単に、操作者が入力手段の操作を完了する際に最後に操作したモードが、ナビゲーション、ＣＤ、ＤＶＤまたはテレビ等の各モードのいずれであるかを言うには止まらず、各モードにおける具体的な動作状態をも含めた概念として扱ってもよい。その場合、例えば、操作者が入力手段の操作を完了する際の最後に操作したモードが、ナビゲーションのモードである場合、このナビゲーションのモードにおける操作完了の際の最後に表示されていた画面（操作画面等）や出力されていた音声がラストモードとなる。
【００１４】
また、本発明に係る複合情報処理装置の特徴は、入力手段が、操作者に操作感触を与えるハプティックコマンダとされている点にある。
【００１５】
そして、このような構成によれば、入力手段をハプティックコマンダとすることによって、さらに入力手段の操作性を向上することが可能となる。
【００１６】
さらに、本発明に係る複合情報処理装置の特徴は、入力手段を操作する操作者の手指の位置を検出する位置検出センサを備えた点にある。
【００１７】
そして、このような構成によれば、位置センサによって入力手段を操作する操作者の手指の位置を検出することによって、判定手段による操作者の判定を簡便に行うことが可能となる。
【００１８】
さらにまた、本発明に係る複合情報処理装置の特徴は、位置検出センサが、入力手段を操作する操作者の親指の位置を検出する点にある。
【００１９】
そして、このような構成によれば、位置検出センサによって入力手段を操作する操作者の親指の位置を検出することにより、さらに簡易な構成によって操作者を判定することが可能となる。
【００２０】
また、本発明に係る複合情報処理装置の特徴は、ナビゲーションのモードと、ＣＤ、ＤＶＤおよびテレビのうちの少なくとも一つのモードとを備えた点にある。
【００２１】
そして、このような構成によれば、ナビゲーション装置のモードと、ＣＤ、ＤＶＤおよびテレビのうちの少なくとも一つのモードとを選択して操作する場合にも、ソースの切り換え操作を要さずに操作者が直前に行っていたモードの操作を継続することが可能となる。
【００２２】
さらに、本発明に係る複合情報処理装置の特徴は、前記入力手段の操作をキャンセルするキャンセル手段を有し、前記制御手段が、１人の操作者が前記入力手段の操作を完了して当該１人の操作者におけるラストモードを前記記憶手段によって記憶させた後、他の操作者が入力手段を操作する際に、当該他の操作者に対応するラストモードの起動後、所定時間内に前記キャンセル手段が操作された場合に、前記１人の操作者に対応するラストモードを起動する制御を行う点にある。
【００２３】
そして、このような構成によれば、１人の操作者が入力手段の操作を完了した後、他の操作者が入力手段を操作する場合においても、当該他の操作者に対応するラストモードの起動後、所定時間内にキャンセル手段が操作されれば、前記１人の操作者に対応するラストモードの操作を続行することができる。
【００２４】
すなわち、前記所定時間内のキャンセル入力を待って、前記１人の操作者のモードを優先して操作させることが可能となる。
【００２５】
さらにまた、本発明に係る複合情報処理装置の特徴は、前記制御手段が、１人の操作者が前記入力手段の操作を完了して当該１人の操作者におけるラストモードを前記記憶手段によって記憶させた後、所定時間以内に他の操作者が前記入力手段の操作を開始した場合には、前記１人の操作者におけるラストモードを起動し、前記所定時間を超えた後に前記他の操作者が前記入力手段の操作を開始した場合には、前記他の操作者に対応するラストモードを起動する制御を行う点にある。
【００２６】
そして、このような構成によれば、先に入力手段を操作していた前記1人の操作者による操作が完了した場合であっても、所定時間が経過するまでは、前記1人の操作者のラストモードを、後に入力手段を操作する前記他の操作者のラストモードよりも優先させることが可能となる。
【００２７】
また、本発明に係る複合情報処理装置の特徴は、前記制御手段は、運転者以外の操作者による前記入力手段の操作完了後、所定時間経過後に自動的に運転者に対応するラストモードを起動する制御を行う点にある。
【００２８】
そして、このような構成によれば、運転者以外の操作者による入力手段の操作完了後、所定時間経過後に自動的に運転者に対応するラストモードを起動することが可能となる。
【発明の効果】
【００２９】
本発明に係る複合情報処理装置によれば、操作者に対応したモードへの切り替えを迅速に行うことによって操作性を向上することができる。
【００３０】
また、本発明に係る複合情報処理装置によれば、さらに操作性を向上することができる。
【００３１】
さらに、本発明に係る複合情報処理装置によれば、入力手段を操作者に操作感触を与えるハプティックコマンダとすることによって、操作性を向上することができる複合情報処理装置を更に安価に得ることができる。
【００３２】
さらにまた、本発明に係る複合情報処理装置によれば、入力手段を操作する操作者の手指の位置を検出する位置検出センサを備えたことによって、操作性を向上することができる複合情報処理装置をより安価に得ることができる。
【００３３】
また、本発明に係る複合情報処理装置によれば、ＣＤ、ＤＶＤまたはテレビ等の機能を備えた多機能ナビゲーション装置の操作性をさらに向上することができ、ひいては安全で円滑な運転を確保することができる。
【００３４】
さらに、本発明に係る複合情報処理装置によれば、キャンセル手段を備えたことによって、操作者の操作性をさらに向上することができる。
【００３５】
さらにまた、本発明に係る複合情報処理装置によれば、先に入力手段を操作していた操作者による操作が完了した場合であっても、所定時間が経過するまでは、当該操作者のラストモードを、後に入力手段を操作する他の操作者のラストモードよりも優先させることによって、先に入力手段を操作していた操作者の操作性をより向上することができる。
【００３６】
また、本発明に係る複合情報処理装置によれば、運転者以外の操作者による入力手段の操作完了後、所定時間経過後に自動的に運転者に対応するラストモードを起動することによって、運転者の操作性をさらに向上することができる。
【発明を実施するための最良の形態】
【００３７】
以下、本発明に係る複合情報処理装置の第１実施形態について、図１乃至図３を参照して説明する。
【００３８】
本実施形態における複合情報処理装置は、ナビゲーション装置等の車載用の情報機器として用いられるようになっている。
【００３９】
図１に示すように、本実施形態における複合情報処理装置１は、入力手段としての入力装置２を有しており、この入力装置２は、運転者または助手席の同乗者等の操作者によって手動で操作されるようになっている。
【００４０】
入力装置２の出力側には、ＣＰＵ３が接続されており、このＣＰＵ３には、ナビゲーションのモードをはじめとして入力装置２の操作によって選択的に操作される複数のモードが記憶された記憶部４が内蔵されている。
【００４１】
記憶部４に記憶されているナビゲーションのモード以外のモードとしては、ＣＤ、ＤＶＤおよびテレビの少なくとも一つのモードを挙げることができる。
【００４２】
また、ＣＰＵ３には、制御部５が内蔵されており、この制御部５は、入力装置２の操作に応じて、記憶部４に記憶された複数のモードの選択的な操作等のための種々の制御を行うようになっている。
【００４３】
ＣＰＵ３の出力側には、出力手段としての出力装置７が接続されており、この出力装置７は、入力装置２の操作によって選択的に操作された各モードの情報を出力するようになっている。
【００４４】
出力装置７によって出力される情報は、ナビゲーションのモードであれば、ナビゲーションの操作画面や案内画面あるいは案内音声となる。また、ＣＤのモードであれば、ＣＤに記録されたオーディオ情報の音声出力となる。さらに、ＤＶＤやテレビのモードであれば、表示画像および音声の出力となる。
【００４５】
そして、本実施形態において、ＣＰＵ３には、入力装置２を操作する操作者を判定する判定手段としての操作者判定部６が内蔵されており、この操作者判定部６の入力側には入力装置２が、出力側には制御部５が接続されている。
【００４６】
操作者判定部６は、入力装置２の操作が、運転席側から行われたものなのか、または助手席側から行われたのかを判別することによって、操作者を判定するようになっている。
【００４７】
また、本実施形態において、記憶部４は、操作者が入力装置２の操作を完了する際に、当該操作者が最後に操作したモードであるラストモードを記憶する記憶手段としても機能するようになっている。
【００４８】
なお、記憶部４は、操作者のラストモードを記憶する際に、このラストモードが運転席側からの操作に対応するものなのか、助手席側からの操作に対応するものなのかを区別することによって、ラストモードを操作者との対応関係を持たせた状態で記憶するようになっている。
【００４９】
さらに、本実施形態において、制御部５は、操作者判定部６によって判定された操作者に対応するラストモードを記憶部４から読み出して起動する制御を行う制御手段としても機能するようになっている。
【００５０】
これにより、操作者判定部６によって判定された操作者に対応するラストモードを制御部５によって即時に起動することができるようになっている。
【００５１】
この結果、１人の操作者があるモードの操作を完了した後、当該１人の操作者が同一のモードの操作を再開するまでの間に、他の操作者が別のモードの操作を行った場合においても、前記1人の操作者は、ソースの切り換え操作を要さずに前記同一のモードの操作を継続することができる。
【００５２】
さらに、本実施形態において、入力装置２は、図２に示すような掌で把持する形状のハプティックコマンダとされている。
【００５３】
このハプティックコマンダは、操作者に把持された状態で図２における矢印の方向に回転操作されるようになっており、この回転操作の回転量に応じて各モードが適宜操作されるようになっている。
【００５４】
そして、回転操作に際しては、操作者に対して、ハプティックコマンダの回転させ易さや振動等の操作感触を、例えば各モードごとに異ならせた状態で与えるようになっている。
【００５５】
これにより、操作者は、複合情報処理装置の操作にあたって目視に頼る必要がなくなり、円滑な操作を行うことができるようになっている。
【００５６】
また、本実施形態において、入力装置２には、位置検出センサ１０が接続されており、この位置検出センサ１０は、入力装置２を操作する手指における親指の位置を検出するようになっている。
【００５７】
この位置検出センサ１０による検出結果は、ＣＰＵ３の操作者判定部６に出力されるようになっている。
【００５８】
これにより、操作者判定部６において、位置検出センサ１０が検出した操作者の親指の位置に基づいて入力装置２を操作する操作者を簡便に判定することができるようになっている。
【００５９】
特に、手指のうち親指のみの位置を検出することによって、さらに構成を簡易かつ安価にすることができる。
【００６０】
なお、位置検出センサ１０は、例えば、光センサや温度センサ、あるいは圧電素子を用いて親指の圧力を電気信号に変換して検出する圧電センサ等であってもよい。
【００６１】
この場合、例えば、図２に示すように、入力装置２における運転者が把持し易い位置に、運転者用の把持用ガイド溝１１を設けるとともに、入力装置２における助手席の同乗者が把持し易い位置に、助手席用の把持用ガイド溝１２を設け、双方の把持用ガイド溝１１，１２における親指に相当する位置に、位置検出センサ１０の検出子１３，１４を別個に配設するようにしてもよい。そのようにすれば、把持用ガイド溝１１，１２に位置された親指を検出した検出子１３，１４を検知することによって、入力装置２の操作者をさらに簡便に判定することができる。
【００６２】
次に、本実施形態の作用について説明する。
【００６３】
図３は、本実施形態の作用としての複合情報処理装置１の操作手順を示すフローチャートである。
【００６４】
なお、図３においては、初期状態において、これから入力装置２を操作する操作者は、既に入力装置２の操作を一旦完了しているものとし、この操作の完了の際におけるラストモードが既に記憶部４に記憶されているものとする。
【００６５】
そして、初期状態から、図３に示すように、複合情報処理装置１の操作を開始すると、まず、ステップ１（ＳＴ１）において、操作者による入力装置２への入力が行われたか否か、すなわち入力装置２の操作が開始されたか否かを制御部５によって判断し、入力が行われた場合はステップ２（ＳＴ２）に進み、行われていない場合はステップ１（ＳＴ１）の判断を再度行う。
【００６６】
入力装置２への入力があった場合は、位置検出センサ１０によって操作者の親指の位置を検出し、検出結果を操作者判定部６に出力する。
【００６７】
次いで、ステップ２（ＳＴ２）においては、位置検出センサ１０の検出結果に基づいて、操作者判定部６によって操作者の判定を行う。
【００６８】
次いで、ステップ３（ＳＴ３）においては、制御部５によって、判定された操作者に対応するラストモードを記憶部４から読み出して、このラストモードを起動する。
【００６９】
これによって、例えば、今回の操作の直前に操作されていたモードがＤＶＤのモードで、今回の操作のステップ３（ＳＴ３）において起動されるモードがナビゲーションのモードである場合は、出力装置７としてのナビゲーション装置の表示部の画面が、ＤＶＤの画面からナビゲーションの画面へと遷移することになる。
【００７０】
そして、続くステップ４（ＳＴ４）においては、制御部５の制御により、入力装置２の操作に従ってラストモードの操作を実行する。
【００７１】
これにより、操作者は、自分が前回の操作によって操作していた同一のモードの操作を再開して継続することができる。
【００７２】
そして、操作者が今回のモードの操作を完了したときは、ステップ５（ＳＴ５）において今回のモードのラストモードを記憶部４に記憶させた後にステップ１（ＳＴ１）に戻る。
【００７３】
したがって、本実施形態によれば、操作者判定部６によって判定した操作者に対応するラストモードを制御部５によって即時に起動することができるため、１人の操作者があるモードの操作を完了した後、同一のモードの操作を再開するまでの間に、他の操作者が別のモードの操作を行った場合においても、前記1人の操作者が、ソースの切り換え操作を要さずに前記同一のモードの操作を容易かつ速やかに再開して継続することができる。
【００７４】
これにより、複合情報処理装置の操作性を向上することができ、特に、これをＣＤ、ＤＶＤまたはテレビ等の機能を備えた多機能ナビゲーション装置に適用する場合は、操作性の向上にともなって運転の安全性や円滑性を確保することができる。
【００７５】
次に、本発明に係る複合情報処理装置の第２実施形態について、図４および図５を参照して説明する。
【００７６】
なお、第１実施形態と基本的構成の同一もしくはこれに類する箇所については、同一の符号を用いて説明する。
【００７７】
図４に示すように、本実施形態における複合情報処理装置１６は、入力装置２、ＣＰＵ３および出力装置７を有するとともに、出力装置７に、操作者判定部６、制御部５および記憶部４が内蔵されている点において第１実施形態と基本的に同様である。
【００７８】
ただし、本実施形態においては、第１実施形態と異なり、入力装置２に、この入力装置２の操作をキャンセルするキャンセル手段としてのキャンセルボタン１７が配設されている。
【００７９】
このキャンセルボタン１７は、入力装置２を現在操作している現在の操作者のみならず、現在の操作者の同乗者も押すことができるものであってもよい。
【００８０】
そして、制御部５は、１人の操作者が入力装置２の操作を完了して当該１人の操作者におけるラストモードを記憶部４に記憶させた後、他の操作者が入力装置２を操作する際に、当該他の操作者に対応するラストモードの起動後、所定時間内にキャンセルボタン１７が押された場合に、前記１人の操作者に対応するラストモードを起動する制御を行うようになっている。
【００８１】
これにより、１人の操作者が入力装置２の操作を完了した後、他の操作者が入力装置２を操作する場合においても、所定時間内にキャンセルボタン１７が押されれば、前記１人の操作者に対応するラストモードの操作を続行させることができるようになっている。
【００８２】
次に、本実施形態の作用について説明する。
【００８３】
図５は、本実施形態の作用としての複合情報処理装置１６の操作手順を示すフローチャートである。
【００８４】
なお、図５においては、初期状態において、前記１人の操作者は、既に入力装置２の操作を一旦完了しており、この完了の際におけるラストモードが記憶部４に記憶されているものとする。また、前記他の操作者についても、既に入力装置２の操作を一旦完了し、この完了の際におけるラストモードが記憶部に記憶されているものとする。
【００８５】
さらに、これから入力装置２を操作する操作者が前記１人の操作者であるか、前記他の操作者であるかは初期状態においては不明であるが、直前の操作における操作者は、前記１人の操作者であるものとする。
【００８６】
そして、初期状態から図５に示すように、複合情報処理装置１６の操作を開始すると、まず、ステップ１１（ＳＴ１１）において、操作者による入力装置２への入力が行われたか否か、すなわち入力装置２の操作が開始されたか否かを制御部５によって判断し、入力が行われた場合には、ステップ１２（ＳＴ１２）に進み、入力が行われていない場合には、ステップ１１（ＳＴ１１）の判断を再度行う。
【００８７】
入力装置２への入力があった場合は、位置検出センサ１０によって操作者の親指の位置を検出し、検出結果を操作者判定部６に出力する。
【００８８】
次いで、ステップ１２（ＳＴ１２）においては、位置検出センサ１０の検出結果に基づいて、操作者判定部６によって操作者の判定を行う。
【００８９】
次いで、ステップ１３（ＳＴ１３）においては、制御部５によって、判定された操作者に対応するラストモードを記憶部４から読み出して、このラストモードを起動する。
【００９０】
次いで、ステップ１４（ＳＴ１４）においては、制御部５によって、現在の操作者が、直前の操作者すなわち前記１人の操作者と異なるか否かを判断し、異なる場合はステップ１５（ＳＴ１５）に進み、異ならない場合は、ステップ１７（ＳＴ１７）に進む。
【００９１】
なお、ステップ１５（ＳＴ１５）に進む場合には、現在の操作者は、前記他の操作者となる。一方、ステップ１７（ＳＴ１７）に進む場合には、現在の操作者は、前記１人の操作者となる。
【００９２】
ステップ１５（ＳＴ１５）においては、現在の操作者（前記他の操作者）に対応するラストモードの起動後、所定時間内にキャンセルボタン１７が押されてキャンセル入力があったか否かを判断し、入力があった場合には、ステップ１６（ＳＴ１６）に進み、入力がなかった場合には、ステップ１７（ＳＴ１７）に進む。
【００９３】
ステップ１６（ＳＴ１６）においては、制御部５によって、直前の操作者（前記１人の操作者）のラストモードを記憶部４から読み出して起動した後に、ステップ１７（ＳＴ１７）に進む。
【００９４】
これにより、前述したステップ１３（ＳＴ１３）の処理によって、例えばナビゲーションの画面（前記1人の操作者の操作モード）からＤＶＤの画面（前記他の操作者の操作モード）に一旦遷移したとしても、ステップ１６（ＳＴ１６）の処理によって再びナビゲーションの画面に遷移させることができる。
次いで、ステップ１７（ＳＴ１７）においては、起動したラストモードの操作を、操作者による入力装置２の操作に従って実行する。
【００９５】
そして、操作者が今回のモードの操作を完了したときは、ステップ１８（ＳＴ１８）において今回のモードのラストモードを記憶部４に記憶させた後にステップ１１（ＳＴ１１）に戻る。
【００９６】
従って、本実施形態によれば、所定時間内のキャンセル入力を待って前記１人の操作者によるモードの操作を優先させることができる。
【００９７】
本実施形態は、例えば、運転者（前記１人の操作者）がナビゲーションを操作していて、一旦操作が完了した後に助手席の同乗者（前記他の操作者）がＤＶＤの操作を開始した場合において、目的地の誤入力等の事情によって緊急にナビゲーションに切り換え直すことを要する事態が生じた場合等において顕著な効果を奏することを期待することができる。
【００９８】
次に、本発明に係る複合情報処理装置の第３実施形態について、図１および図６を参照して説明する。
【００９９】
なお、第１実施形態と基本的構成の同一もしくはこれに類する箇所については、同一の符号を用いて説明する。
【０１００】
本実施形態における複合情報処理装置は、入力装置２、ＣＰＵ３および出力装置７を有するとともに、ＣＰＵ３、操作者判定部６、制御部５および記憶部４が内蔵されている点において第１実施形態と基本的に同様である。
【０１０１】
ただし、本実施形態においては、制御部５の制御方法において、第１実施形態と異なる点を有している。
【０１０２】
すなわち、本実施形態において、制御部５は、１人の操作者が入力装置２の操作を完了して当該１人の操作者におけるラストモードを記憶部４によって記憶させた後、所定時間以内に他の操作者が入力装置２の操作を開始した場合には、前記１人の操作者におけるラストモードを起動するように制御を行うようになっている。
【０１０３】
一方、制御部５は、前記所定時間を超えた後に前記他の操作者が入力装置２の操作を開始した場合には、前記他の操作者に対応するラストモードを起動する制御を行うようになっている。
【０１０４】
これにより、前記１人の操作者が入力装置２の操作を完了した場合においても、操作の完了から所定時間が経過する前に他の操作者が入力装置２の操作を開始した場合には、前記１人の操作者に対応するラストモードを優先的に継続させることができるようになっている。
【０１０５】
次に、本実施形態の作用について説明する。
【０１０６】
図６は、本実施形態の作用として、複合情報処理装置の操作手順を示すフローチャートである。
【０１０７】
なお、図６においては、初期状態において、前記１人の操作者は、既に入力装置２の操作を一旦完了して当該１人の操作者のラストモードが既に記憶部４に記憶されているものとする。また、前記他の操作者についても、既に入力装置２の操作を一旦完了しているものとし、この操作の完了の際におけるラストモードが既に記憶部５に記憶されているものとする。
【０１０８】
さらに、これから入力装置２を操作する操作者が前記１人の操作者であるか、前記他の操作者であるかは初期状態においては不明であるが、直前の操作における操作者は、前記１人の操作者であるものとする。
【０１０９】
そして、初期状態から図６に示すように、複合情報処理装置の操作を開始すると、まず、ステップ２１（ＳＴ２１）において、操作者による入力装置２への入力が行われたか否か、すなわち入力装置２の操作が開始されたか否かを制御部５によって判断し、入力が行われた場合には、ステップ２２（ＳＴ２２）に進み、入力が行われていない場合は、ステップ２１（ＳＴ２１）の判断を再度行う。
【０１１０】
入力装置２への入力があった場合には、位置検出センサ１０によって操作者の親指の位置を検出し、検出結果を操作者判定部６に出力する。
【０１１１】
次いで、ステップ２２（ＳＴ２２）においては、位置検出センサ１０の検出結果に基づいて、操作者判定部６によって操作者の判定を行うとともに、制御部５によって、現在の操作者が、直前の操作者すなわち前記１人の操作者と異なるか否かを判断し、異なる場合には、ステップ２３（ＳＴ２３）に進み、異ならない場合には、ステップ２４（ＳＴ２４）に進む。
【０１１２】
なお、ステップ２３（ＳＴ２３）に進む場合には、現在の操作者は、前記他の操作者となる。一方、ステップ２４（ＳＴ２４）に進む場合には、現在の操作者は、前記１人の操作者となる。
【０１１３】
ステップ２３（ＳＴ２３）においては、制御部５によって、直前の操作（前記１人の操作者による操作）が完了した後、所定時間以内であるか否かを判断し、所定時間以内である場合には、ステップ２５（ＳＴ２５）に進み、所定時間を超えている場合には、ステップ２４（ＳＴ２４）に進む。
【０１１４】
ステップ２４（ＳＴ２４）においては、制御部５によって、ＳＴ２２（ＳＴ２２）において判定された現在の操作者（前記他の操作者）に対応するラストモードを記憶部４から読み出して起動した後にステップ２６（ＳＴ２６）に進む。
【０１１５】
一方、ステップ２５（ＳＴ２５）においては、制御部５によって直前の操作者（前記１人の操作者）に対応するラストモードを記憶部４から読み出して起動した後にステップ２６（ＳＴ２６）に進む。
【０１１６】
これによって、前記１人の操作者による入力装置２の操作完了後、所定時間以内に前記他の操作者が入力装置２の操作を開始した場合においても、依然として前記１人の操作者のラストモードを継続させることができる。
【０１１７】
例えば、前記１人の操作者のモードがナビゲーションのモードで、前記他の操作者のモードがＤＶＤのモードである場合、前記１人の操作者がナビゲーションの操作を完了した後、所定時間以内に前記他の操作者が入力装置２の操作を開始したとしても、ナビゲーションの画面からＤＶＤの画面には遷移せず、依然としてナビゲーションの画面が維持されることになる。
【０１１８】
ステップ２６（ＳＴ２６）においては、起動されたラストモードの操作を、操作者による入力装置２の操作に従って実行する。
【０１１９】
そして、操作者が今回のモードの操作を完了したときは、ステップ２７（ＳＴ２７）において今回のモードのラストモードを記憶部４に記憶させた後にステップ２１に戻る。
【０１２０】
従って、本実施形態によれば、先に入力装置２を操作していた前記１人の操作者の操作が完了した後においても、所定時間が経過するまでは、前記１人の操作者のラストモードを優先させることができる。
【０１２１】
次に、本発明に係る複合情報処理装置の第４実施形態について、図１および図７を参照して説明する。
【０１２２】
なお、第１実施形態と基本的構成の同一もしくはこれに類する箇所については、同一の符号を用いて説明する。
【０１２３】
本実施形態における複合情報処理装置は、入力装置２、ＣＰＵ３および出力装置７を有するとともに、ＣＰＵ３に、操作者判定部６、制御部５および記憶部４が内蔵されている点において第１実施形態と同様である。
【０１２４】
ただし、本実施形態においては、制御部５による制御方法において第１実施形態とは異なる点を有している。
【０１２５】
すなわち、本実施形態において、制御部５は、運転者以外の操作者（例えば助手席の同乗者）による前記入力装置２の操作完了後、所定時間経過後に自動的に運転者に対応するラストモードを起動する制御を行うようになっている。
【０１２６】
ここで、ＣＤ、ＤＶＤまたはテレビ等の機能を備えた多機能ナビゲーション装置のような車載用の複合情報処理装置は、運転者による操作が大半を占める場合が多い。したがって、本実施形態のように、自動的に運転者のラストモードを起動させるようにすれば、操作性をさらに向上させることができる。
【０１２７】
次に、本実施形態の作用について説明する。
【０１２８】
図７は、本実施形態の作用としての複合情報処理装置の操作手順を示すフローチャートである。
【０１２９】
なお、図７においては、初期状態において、前記運転者は、既に入力装置２の操作を一旦完了して当該運転者のラストモードが既に記憶部４に記憶されているものとする。また、前記運転者以外の操作者についても、既に入力装置２の操作を一旦完了しているものとし、この操作の完了の際におけるラストモードが既に記憶部４に記憶されているものとする。
【０１３０】
さらに、これから入力装置２を操作する操作者が前記運転者であるか、前記運転者以外の操作者であるかは初期状態においては不明であるが、直前の操作における操作者は、前記運転者以外の操作者であるものとする。
【０１３１】
そして、初期状態から図７に示すように、複合情報処理装置の操作を開始すると、まず、ステップ３１（ＳＴ３１）において、操作者による入力装置２への入力が行われたか否か、すなわち入力装置２の操作が開始されたか否かを制御部５によって判断し、入力が行われた場合はステップ３２（ＳＴ３２）に進み、行われていない場合はステップ３３（ＳＴ３３）に進む。
【０１３２】
ステップ３３（ＳＴ３３）においては、直前の操作が完了した後、所定時間が経過したか否かを判断し、経過した場合はステップ３４（ＳＴ３４）に進み、経過していない場合はステップ３１（ＳＴ３１）に戻る。
【０１３３】
ステップ３４（ＳＴ３４）においては、制御部５によって運転者のラストモードを記憶部４から読み出して起動した後、ステップ３１（ＳＴ３１）に戻る。
【０１３４】
これにより、運転者以外の操作者の操作が完了した後、所定時間内に入力装置２の操作が行われない場合は、自動的に運転者のラストモードを起動することができる。
【０１３５】
ステップ３２（ＳＴ３２）においては、入力装置２の操作者を操作者判定部６によって判定するとともに、判定した操作者のラストモードを起動する。
【０１３６】
このとき、操作者が運転者の場合であって、ステップ３４（ＳＴ３４）を経ている場合は、既にステップ３４（ＳＴ３４）によって運転者のラストモードが起動されているため、このステップ３２（ＳＴ３２）は不要となる。
【０１３７】
ステップ３２（ＳＴ３２）が意味を持つのは、判定された操作者が運転者以外の操作者である場合か、または、操作者が運転者の場合であって、ステップ３４（ＳＴ３４）を経ていない場合、すなわち、直前の操作が完了した後、所定時間を経過する前に運転者が入力装置２を操作した場合である。
【０１３８】
次いで、ステップ３５（ＳＴ３５）において、制御部５の制御によって、起動されたラストモードの操作を入力装置２の操作に従って実行する。
【０１３９】
次いで、ステップ３６（ＳＴ３６）において、今回の操作のラストモードを記憶部４に記憶させた後、ステップ３１（ＳＴ３１）に戻る。
【０１４０】
従って、本実施形態によれば、運転者以外の操作者による操作の完了後、所定時間内に入力装置２の操作が開始されない場合は、自動的に運転者のラストモードを起動することによって、運転者の操作性をさらに向上させることができる。
【０１４１】
なお、本発明は、前述した実施の形態に限定されるものではなく、必要に応じて種々の変更が可能である。
【０１４２】
例えば、操作されるモードとしては、前述したナビゲーション、ＣＤ、ＤＶＤおよびテレビ以外のモード、例えば、ラジオ等のモードを備えてもよいことは勿論である。
【０１４３】
また、ナビゲーションのモードにおいて出力される画像情報は、車載用のＤＶＤやＨＤＤに格納された地図データベースから読み出された情報であってもよいし、通信ナビゲーションにおいて、通信を介してセンタサーバから受信することによって得られる情報であってもよい。
【図面の簡単な説明】
【０１４４】
【図１】本発明に係る複合情報処理装置の第１実施形態を示すブロック図
【図２】本発明に係る複合情報処理装置の第１実施形態において、入力装置としてのハプティックコマンダを示す図
【図３】本発明に係る複合情報処理装置の第１実施形態において、複合情報処理装置の操作手順を示すフローチャート
【図４】本発明に係る複合情報処理装置の第２実施形態を示すブロック図
【図５】本発明に係る複合情報処理装置の第２実施形態において、複合情報処理装置の操作手順を示すフローチャート
【図６】本発明に係る複合情報処理装置の第３実施形態において、複合情報処理装置の操作手順を示すフローチャート
【図７】本発明に係る複合情報処理装置の第４実施形態において、複合情報処理装置の操作手順を示すフローチャート
【符号の説明】
【０１４５】
１，１６  複合情報処理装置
２  入力装置
４  記憶部
５  制御部
７  出力装置
８  操作者判定部
１０  位置検出センサ
１７  キャンセルボタン
【図１】
2005283445.tif 000003
【図２】
2005283445.tif 000004
【図３】
2005283445.tif 000005
【図４】
2005283445.tif 000006
【図５】
2005283445.tif 000007
【図６】
2005283445.tif 000008
【図７】
2005283445.tif 000009